(57)【要約】      （修正有）【課題】遊技場における景品交換に関連する不正行為を監視するための監視システムであり、遊技場のスタッフの負担を軽減することのできる遊技場監視システムを提供する。【解決手段】計数機１１２ａが遊技媒体を計数してその結果を示す識別子を記録した記録媒体１７０を出力するときにカメラ１１０ａが撮影した画像を識別子に対応付けて記憶する。景品交換カウンタ１９２に配置された景品管理機１１４が記録媒体１７０を読込んだときに、読込んだ識別子に対応付けられた画像をディスプレイ１１６に表示する。景品交換カウンタ１９２のスタッフは、景品交換カウンタ１９２で来訪者が差し出した記録媒体が、計数機１１２ａから出力されたときの様子を監視することができる。景品交換カウンタ１９２のスタッフは、計数機１１２ａを常時監視する負荷から解放される。【選択図】図１
2008055042.tif 000002
【特許請求の範囲】
【請求項１】
遊技場における景品交換に関する不正行為を監視するための監視システムであり、
遊技媒体を計数し、計数結果と識別子を記録した記録媒体を出力する計数機と、
計数機を利用する人物を撮影するカメラと、
カメラが撮影した画像を記録する画像記録装置と、
記録媒体に記録された識別子と、その記録媒体が計数機から出力されたときにカメラが撮影した画像を対応付ける監視データを生成する監視データ生成装置と、
記録媒体を読み込み、記録媒体に記録された計数結果に基づく景品管理処理を行なうとともに、監視データに基づいて、記録媒体に記録された識別子に対応付けられた画像を画像記録装置から抽出して表示する景品管理機と、
を備えることを特徴とする遊技場監視システム。
【請求項２】
景品管理機は、計数機が記録媒体を出力した出力時刻を含む所定時間の動画像を画像記録装置から抽出して表示することを特徴とする請求項１に記載の遊技場監視システム。
【請求項３】
遊技場における景品交換に関する不正行為を監視するための監視システムであり、
遊技媒体を計数し、計数結果と識別子を記録した記録媒体を出力する計数機と、
計数機を利用する人物を撮影する第１カメラと、
第１カメラが撮影した画像を記録する第１画像記録装置と、
記録媒体を読み込み、記録媒体に記録された計数結果に基づく景品管理処理を行なう景品管理機と、
景品管理機が設置されている景品交換カウンタで記録媒体を差し出す人物を撮影する第２カメラと、
第２カメラが撮影した画像を記録する第２画像記録装置と、
所定の識別子と、計数機が所定の識別子を記録した記録媒体を出力したときに第１カメラが撮影した画像と、景品管理機が所定の識別子を記録した記録媒体を読み込んだときに第２カメラが撮影した第２画像を対応付ける監視データを生成する監視データ生成装置と、
生成された監視データに基づいて、所定の識別子に対応付けられた第１画像と第２画像を夫々第１画像記録装置と第２画像記録装置から抽出して表示する制御装置と、
を備えることを特徴とする遊技場監視システム。
【請求項４】
制御装置は、計数機が所定の識別子を記録した記録媒体を出力した出力時刻を含む所定時間の動画像を第１画像記録装置から抽出して表示することを特徴とする請求項３に記載の遊技場監視システム。
【請求項５】
制御装置は、景品管理機が所定の識別子を記録した記録媒体を読み込んだ読込時刻を含む所定時間の動画像を第２画像記録装置から抽出して表示することを特徴とする請求項３又は４に記載の遊技場監視システム。
【請求項６】
制御装置は、所定の条件に合致する監視データを検索し、検索した監視データに記録された識別子に対応付けられた第１画像と第２画像を夫々第１画像記録装置と第２画像記録装置から抽出して表示することを特徴とする請求項３から５のいずれか１項に記載の遊技場監視システム。
【請求項７】
第１画像に映っている人物と、第２画像に映っている人物が同一人物であるか否かを判断する画像処理装置をさらに備えていることを特徴とする請求項３から６のいずれか１項に記載の遊技場監視システム。
【請求項８】
一の監視データの第１画像又は第２画像に映っている人物と他の監視データの第１画像又は第２画像に映っている人物が同一人物であるか否かを判断し、同一人物が映っている画像の監視データを抽出する第２画像処理装置を備えることを特徴とする請求項３から７のいずれか１項に記載の遊技場監視システム。
【発明の詳細な説明】
【技術分野】
【０００１】
本発明は、遊技場における景品交換に関する不正行為を監視するための遊技場監視システムに関する。
【背景技術】
【０００２】
パチンコ遊技機やメダル遊技機などの遊技機を設置する遊技場では、遊技によって遊技者が獲得した遊技媒体（パチンコ玉やメダル）の数に応じた景品を遊技者へ提供することが多い。
遊技媒体の数は遊技場に設置されている計数機によって計測される。計数機は、遊技媒体の数を計数すると、計数値を記録した記録媒体を出力する。記録媒体は、レシートと呼ばれる紙や磁気カード、或いはメモリなどである。遊技者は、計数機が出力した記録媒体を景品交換カウンタのスタッフへ差し出して、計数値に応じた所望の景品をスタッフから受け取る。なお、「景品交換カウンタ」とは、遊技者が、獲得した遊技媒体数に見合った景品を受け取るために、記録媒体をスタッフへ手渡す場所を意味する。
景品交換カウンタには、記録媒体を読み込み、その記録媒体に記録された計数値に基づく景品管理処理を行なう景品管理機が設置されている。なお、本明細書では、記録媒体に記録されたデータを読み込むことを単に「記録媒体を読み込む」と表現する。景品交換カウンタのスタッフは、記録媒体を景品管理機に読み込ませるとともに、遊技者に提供した景品のデータを景品管理機に入力する。景品交換機は、読み込んだ記録媒体に記録された計数値を表示するとともに、提供した景品の在庫データを修正する。計数値を表示する処理や景品の在庫データを修正する処理などを景品管理処理と称する。
【０００３】
遊技場では、計数機と景品交換カウンタは別の場所に配置されていることが多い。そのため、遊技媒体の計数から景品の交換までの間に不正行為が行なわれる虞がある。不正行為とは、例えば、他人が取得した記録媒体を無断で利用する行為や、特殊な電波を発信する装置を用いて計数機の計数値を操作する行為などである。
そこで、そのような不正を防止する技術として、例えば特許文献１に計数機不正防止システムが開示されている。特許文献１のシステムは、カメラを備えた計数機と、カメラの映像を表示する監視手段と、計数機を遠隔制御する制御手段を備えている。監視手段と制御手段は景品交換カウンタに設置される。景品交換カウンタのスタッフは、計数機を操作する人物の様子を監視手段を介してリアルタイムに視認し、不正が行なわれていると判断した場合には制御手段を操作して計数機の計数動作を停止させる。このシステムによれば、計数機の位置にスタッフを配置せずとも、景品交換カウンタのスタッフによって計数機の不正操作を防止できる。
【０００４】
【特許文献１】特開２００１−８７５３８号公報
【発明の開示】
【発明が解決しようとする課題】
【０００５】
特許文献１の技術では、景品交換カウンタのスタッフは常に監視手段を見ている必要がある。計数機はいつでも操作され得るからである。景品交換カウンタのスタッフは、記録媒体を差し出す人物に応対しながらも監視手段を見続けなければならない。そこで、遊技場のスタッフの負担を軽減することのできる遊技場監視システムが望まれている。
【課題を解決するための手段】
【０００６】
本願発明は、遊技場における景品交換に関する不正行為を監視するための遊技場監視システムであり、遊技媒体を計数する計数機と、計数機を利用する人物を撮影するカメラと、カメラが撮影した画像を記録する画像記録装置と、監視データ生成装置と、景品管理処理を行なう景品管理機制御装置を備える。
計数機は、遊技媒体を計数し、計数結果と識別子を記録した記録媒体を出力する。監視データ生成装置は、記録媒体に記録された識別子と、その記録媒体が計数機から出力されたときにカメラが撮影した画像を対応付ける監視データを生成する。景品管理機は、記録媒体を読み込み、記録媒体に記録された計数結果に基づく景品管理処理を行なうとともに、監視データに基づいて、記録媒体に記録された識別子に対応付けられた画像を画像記録装置から抽出して表示する。
【０００７】
記録媒体は紙でもよいしメモリや磁気カードでもよい。
計数結果とは、遊技媒体の計数値そのものであってもよいし、計数値を特定できる記号であってもよい。景品管理機は、記録媒体に記録されたデータを読み込み、記録媒体に記録された記号を管理サーバへ送信する。管理サーバでは、送られた記号に対応付けられた計数値を景品管理機へ返信する。そうすることによって、景品管理機が計数値を取得できる。即ち、記録媒体に記録された記号（計数結果）を介して計数値が特定できる。「計数結果」とは、直接に、或いは間接に計数値を特定できる記号であるので、以下では「計数結果」を「計数値」と同義で用いる。
一方、識別子とは、記録媒体を特定するための記号である。識別子は計数結果を兼ねていてもよい。
計数機を利用する人物を撮影するカメラとは具体的には、計数機が出力する記録媒体を受け取る人物を撮影可能と推測される場所を撮影するカメラである。
景品管理機が行なう典型的な処理は、計数結果を表示する処理である。或いは、計数結果と交換可能な景品のリストを表示する処理である。景品交換カウンタのスタッフは表示された計数結果に応じた景品、或いは表示されたリスト上の景品を、遊技者の希望に応じて提供する。スタッフは、提供した景品のデータを景品管理機へ入力する。景品管理機は、入力された景品の在庫データを修正する処理も行なう。この在庫データの修正処理も、景品管理処理のひとつである。
「計数機が所定の識別子を記録した記録媒体を出力したとき」とは、計数機が記録媒体を出力した瞬間の厳密な時刻に限られず、その時刻に近いタイミングであればよい。例えば、計数機が遊技媒体の数を計数した時刻であってもよい。「計数機が所定の識別子を記録した記録媒体を出力したとき」とは、そのときに計数機を利用している人物が撮影できると推定される時刻を意味する。
【０００８】
上記の遊技場監視システムによれば、景品管理機が記録媒体を読み込むと、読み込んだ記録媒体に記録された識別子に対応付けられた画像が表示される。即ち、その記録媒体が計数機から出力されたときにカメラが撮影した画像が表示される。これによって、景品交換カウンタのスタッフは、景品交換カウンタに来訪した人物が差し出した記録媒体が計数機から出力されたときの様子（その記録媒体を受け取った人物の様子）を視認することができる。これによって、景品交換カウンタのスタッフは、別の場所にある計数機を常に監視する必要から解放される。
【０００９】
景品管理機は、計数機が記録媒体を出力した出力時刻を含む所定時間の動画像を画像記録装置から抽出して表示することが好ましい。計数機を利用する人物が映っている動画を表示することによって、景品交換カウンタのスタッフに対して、計数機を利用する人物の動きを提示することができる。
【００１０】
本発明に係る他の遊技場監視システムは、計数機と、第１カメラと、第１カメラが撮影した画像を記録する第１画像記録装置と、景品管理機と、第２カメラと、第２カメラが撮影した画像を記録する第２画像記録装置と、監視データ生成装置と、制御装置を備える。
計数機は、遊技媒体を計数し、計数結果と識別子を記録した記録媒体を出力する。
第１カメラは、計数機を利用する人物を撮影する。厳密には、第１カメラは、計数機を利用する人物が撮影できるであろうと推定される位置を撮影するように配置される。
景品管理機は、記録媒体を読み込み、記録媒体に記録された計数結果に基づく景品管理処理を行なう。
第２カメラは、景品管理機が設置されている景品交換カウンタで記録媒体を差し出す人物を撮影する。
監視データ生成装置は、所定の識別子と、計数機が所定の識別子を記録した記録媒体を出力したときに第１カメラが撮影した画像と、景品管理機が所定の識別子を記録した記録媒体を読み込んだときに第２カメラが撮影した第２画像を対応付ける監視データを生成する。制御装置は、生成された監視データに基づいて、所定の識別子に対応付けられた第１画像と第２画像を夫々第１画像記録装置と第２画像記録装置から抽出して表示する。
計数結果や識別子の意味は前述の通りである。
【００１１】
上記の遊技場監視システムによれば、計数機を利用する人物（即ち、計数機が出力した記録媒体を受け取った人物）と、景品交換カウンタへ来訪し、その記録媒体を遊技場のスタッフへ差し出した人物が同一人物であるか否かを確認できる。同一人物であるか否かを確認できることによって不正が行なわれた可能性が高いか否かを判別できる。これは発明者による次の知見に基づく。
発明者の知見によれば、不正な景品取得行為は、主に次の３通りがある。第１の場合は、計数機が出力した記録媒体を受け取った利用者（計数機を利用する人物）からその記録媒体を不正に取得する場合である。記録媒体を不正に取得した人物はその記録媒体を景品交換カウンタで差し出して景品を取得する。第２の場合は、スタッフ自身が計数機を不正に操作して記録媒体を取得する場合である。第２の場合には、記録媒体を不正に取得したスタッフは、仲間に記録媒体を渡し、その仲間が取得した記録媒体を景品交換カウンタで差し出して景品を受け取る場合が多い。第３の場合は、スタッフが計数機を操作するように取り決められた遊技場において、遊技者がスタッフに無断で計数機を操作して記録媒体を不正に取得し、その記録媒体を景品交換カウンタで差し出して景品を不正に取得する場合である。
第１の場合と第２の場合は、計数機が出力した記録媒体を受け取った人物と景品交換カウンタで記録媒体を差し出した人物が相違する。従って、遊技場監視システムが表示する２つの画像に映っている人物が異なる場合に不正が行なわれた可能性が高いと判断できる。
第３の場合は、計数機の操作を遊技場のスタッフが行なう取決めをしている遊技場の場合である。この場合には、遊技場監視システムが表示する２つの画像に映っている人物が同一人物の場合に不正が行なわれた可能性が高いと判断できる。
いずれの場合でも、本発明の遊技場監視システムによれば、景品交換に関する不正行為を監視するスタッフの負担を軽減することができる。景品交換に関する不正行為を監視する遊技場のスタッフの負担を軽減することのできる遊技場監視システムを実現することができる。
【００１２】
監視データ生成装置は、例えば第１画像記録装置と第２画像記録装置を兼ねており、第１画像と第２画像と所定の識別子をグループ化した（対応付けた）監視データを生成して記憶（記録）すればよい。
第１画像記録装置と第２画像記録装置と監視データ生成装置を別個の装置とする場合には、次のように構成してもよい。第１画像記録装置は第１カメラが撮影した画像を撮影時刻とともに記録する。第２画像記録装置は第２カメラが撮影した画像を撮影時刻とともに記録する。監視データ生成装置は、計数機が所定の識別子を記録した記録媒体を出力した出力時刻と、景品管理機が所定の識別子を記録した記録媒体を読み込んだ読込時刻を所定の識別子に対応付ける監視データを生成する。制御装置は、所定の識別子が指定されると、監視データからその所定の識別子に対応付けられた出力時刻と読込時刻を特定し、特定された出力時刻に撮影された第１画像を第１画像記録装置から抽出するとともに、特定された読込時刻に撮影された第２画像を第２画像記録装置から抽出して表示する。そうすることによって、出力時刻を介して第１画像と所定の識別子が対応付けられる。読込時刻を介して第２画像と所定の識別子が対応付けられる。
【００１３】
制御装置は、計数機が所定の識別子を記録した記録媒体を出力した出力時刻を含む所定時間の動画像を第１画像記録装置から抽出して表示できることが好ましい。或いは、制御装置は、景品管理機が所定の識別子を記録した記録媒体を読み込んだ読込時刻を含む所定時間の動画像を第２画像記録装置から抽出して表示できることが好ましい。動画を表示できれば、画像に映っている人物が計数機において、或いは景品交換カウンタにおいてどのような動作を行なったかを確認することができる。
【００１４】
制御装置は、所定の条件に合致する監視データを検索し、検索した監視データに記録された識別子に対応付けられた第１画像と第２画像を表示することが好ましい。
監視データ生成装置は、計数結果を所定の識別子に対応付けた監視データを生成する。或いは、遊技場に複数の計数機が配置されている場合には、監視データ生成装置は、計数機のＩＤを所定の識別子に対応付けた監視データを生成する。表示装置は、例えば計数結果の範囲や、計数機のＩＤを条件にして、その条件に合致する監視データを検索することができる。
【００１５】
生成された監視データは、記憶装置に記憶されて蓄積される。蓄積された複数の監視データから、例えば、計数結果が所定値より大きいという条件に合致する監視データを検索する。不正を行なう者は、不正行為によって計数結果を大きくするのが通常である。従って、計数結果が所定値より大きいという条件に合致する監視データを検索して抽出することによって、不正行為が行われた可能性の高い監視データを事後的に精査することができる。
【００１６】
上記の遊技場監視システムは、第１画像に映っている人物と、第２画像に映っている人物が同一であるか否かを推定する画像処理装置をさらに備えていることが好ましい。
【００１７】
上述したように、計数機を利用して記録媒体を受け取る人物（利用者）と景品交換カウンタで記録媒体を差し出す人物（景品交換カウンタへの来訪者）が異なる場合（遊技場の取り決めによっては同一人物の場合）に、不正行為が行なわれた可能性が高い。利用者と来訪者が同一であるか否かを自動的に推定することができれば、その監視システムは、遊技場のスタッフの負担をさらに軽減することができる。
【００１８】
遊技場監視システムはまた、一の監視データの第１画像又は第２画像に映っている人物と他の監視データの第１画像又は第２画像に映っている人物が同一人物であるか否かを判断し、同一人物が第２画像に映っている監視データを抽出する第２画像処理装置を備えることが好ましい。
第２画像処理装置によって、例えば、同一人物が複数回に亘って景品交換カウンタで記録媒体を差し出したことが判明する。例えば、同一の人物が短時間の間に大きな計数結果を記録した記録媒体を複数回に亘って景品交換カウンタで差し出すことは不自然である。そのような不自然な行為には不正行為が介在している可能性が高い。第２画像処理装置によって、そのような事態を容易に検出することができる。或いは、計数機又は景品交換カウンタで記憶媒体のやり取りを頻繁に行なっている人物を特定することができる。そのような人物は不正を行なっている可能性が高く、本発明によれば、そのような人物を容易に特定することができる。
【発明の効果】
【００１９】
本願発明によれば、遊技場における景品交換に関する不正行為を監視するスタッフの負荷を軽減する遊技場監視システムを提供することができる。
【実施例】
【００２０】
以下、図面を参照して実施例を詳細に説明する。
＜第１実施例＞  図１は、本発明の第１実施例に係る遊技場監視システム１００のブロック図である。遊技場監視システム１００は、計数機（計数機１１２ａ、１１２ｂ）と、カメラ（カメラ１１０ａ、１１０ｂ）と、景品管理機１１４と、管理サーバ１１８と、記憶装置１２０を備える。景品管理機１１４には、画像等を表示するディスプレイ１１６が接続されている。
カメラ（カメラ１１０ａ等）、管理サーバ１１８、計数機（計数機１１２ａ等）、及び景品管理機１１４は、ネットワーク１９０に接続している。なお、ネットワーク１９０には、他に遊技媒体を貸し出す遊技媒体貸出機などが接続されているが、それらは図示を省略してある。
【００２１】
遊技場には複数の計数機が備えられており、夫々の計数機に対応してカメラが配置されている。計数機１１２ａに対応してカメラ１１０ａが配置されており、計数機１１２ｂに対応してカメラ１１０ｂが配置されている。計数機はいくつでもよい。以下では、計数機１１２ａと、この計数機１１２ａに対応して配置されたカメラ１１０ａを例にとって説明する。
【００２２】
カメラ１１０ａは、計数機１１２ａの利用者を撮影できるように配置されている。計数機１１２ａの利用者とは、獲得した遊技媒体の計数を希望する遊技者である。換言すればカメラ１１０ａは、計数機１１２ａの近傍を撮影できる位置に配置されている。
【００２３】
計数機１１２ａは、遊技媒体の数を計数する装置である。計数機１１２ａの利用者１７２ａが、獲得した遊技媒体を計数機１１２ａに投入すると、計数機１１２ａは投入された遊技媒体の数の計数を開始する。計数が終了すると、計数機１１２ａは、レシート（記録媒体）１７０を出力する。レシート１７０には、計数結果１７０ａと、レシート１７０を特定するためのレシートＩＤ（識別子）１７０ｂが記録されている。計数結果１７０ａとは、遊技媒体の計数値である。レシートＩＤ１７０ｂは、機械読取が容易にできるようにバーコードデータに変換されてレシート１７０に表示（記録）されている。
計数機１１２ａは、レシート１７０を出力すると同時に、計数結果とレシートＩＤをネットワーク１９０を介して管理サーバ１１８へ送信する。管理サーバ１１８は、計数結果とレシートＩＤを受信すると、そのときにカメラ１１０ａが撮影した画像をネットワーク１９０を介して取得する。
管理サーバ１１８は、受信した計数結果とレシートＩＤと画像をひとつの監視データにまとめて記憶装置１２０に記憶する。別言すれば管理サーバ１１８は、計数機１１２ａがレシートＩＤを記録したレシート１７０を出力したときにカメラ１１０ａが撮影した画像とそのレシートＩＤを対応付ける監視データを生成する。ここでは、「計数機１１２ａが計数を開始したとき」、「計数機１１２ａがレシート１７０を出力したとき」、及び「管理サーバ１１８がレシートＩＤを受信したとき」がほぼ同時であるので、それらを代表して「計数機１１２ａがレシート１７０を出力したとき」と表現した。そして「計数機１１２ａがレシート１７０を出力したとき」は、「そのときの計数機の利用者１７２ａがカメラ１１０ａで撮影できると推定されるとき」と意味する。
例えば、遊技媒体の計数を希望した利用者が利用者１７２ａであれば、レシート１７０が計数機１１２ａから出力されたときにカメラ１１０ａが撮影した画像には遊技者１７２ａが映っており、監視データには、利用者１７２ａが映っている画像のデータがレシート１７０のレシートＩＤに対応付けられて記憶されることになる。
【００２４】
監視データの一例を図２に示す。図２に示すように、レシートＩＤ「Ａ００１」に対応付けて、そのレシートが出力されたときに計数機が計数した計数結果「３０，５４８」と、そのレシートが計数機１１２ａから出力されたときにカメラ１１０ａが撮影した画像が記録されている。同様に、レシートＩＤ「Ａ００２」に対応付けて、そのレシートが出力されたときに計数機１１２ａが計数した計数結果「１０，０３０」と、そのレシートが出力されたときにカメラ１１０ａが撮影した画像が記録されている。
【００２５】
計数機１１２ａの利用者１７２ａは、計数機１１２ａが出力したレシート１７０を受け取り、遊技場の景品交換カウンタ１９２でそのレシート１７０を遊技場のスタッフへ差し出す。スタッフは、レシート１７０に記録された遊技媒体の計数結果に応じた景品を利用者１７２ａへ渡す。
景品交換カウンタ１９２の付近には、景品管理機１１４が設置されている。景品管理機１１４には、レシート１７０に記録されたレシートＩＤを読み込むためのバーコードリーダ（不図示）が取り付けられている。景品交換カウンタ１９２のスタッフは、利用者１７２ａから受け取ったレシート１７０をそのバーコードリーダに読み込ませる。なお、以下では、「レシートに記録されたデータ（計数結果やレシートＩＤ）を読み込ませる」という表現と、「レシートを読込ませる」との表現は同義に用いる。
なお、図１では「景品交換カウンタ」を破線の四角１９２で示している。「景品交換カウンタ」は、一つの場所を意味するが、図１では、景品交換カウンタと景品管理機１１４を含んでおり、景品の交換が行なわれる場所、を表す意味で、景品交換カウンタ１９２を破線の四角で表現する。
景品管理機１１４は、読み取ったレシートＩＤを管理サーバ１１８へ送信する。管理サーバ１１８は、記憶装置１２０に記憶された監視データを検索し、景品管理機１１４から送られたレシートＩＤに対応付けられた計数結果と画像データを抽出する。抽出した計数結果と画像データは、景品管理機１１４へ送信される。景品管理機１１４は、管理サーバ１１８から送られた計数結果と画像データをディスプレイ１１６に表示する。
ディスプレイ１１６に表示された画像１７２ｂは、景品管理機１１４が読み込んだレシート１７０が、計数機１１２ａから出力されたときにカメラ１１０ａが撮影した画像である。レシート１７０にはレシートを識別するためのレシートＩＤが記録されているので、管理サーバ１１８は、そのレシート１７０が計数機１１２ａから出力されたときにカメラ１１０ａが撮影した画像を監視データから検索することができる。
その画像１７２ｂに映っている人物が、レシート１７０を差し出した利用者１７２ａと同一であれば、景品交換カウンタ１９２のスタッフは、レシート１７０に関して不正な行為が行なわれた可能性は低いと判断できる。その場合には、計数結果に応じた景品を利用者１７２ａへ渡す。
もし、その画像１７２ｂに映っている人物がレシート１７０を差し出した人物と同一でないならば、景品交換カウンタ１９２のスタッフは、何らかの不正が行なわれた可能性が高いとして、相応の対処を講じることができる。例えば、レシート１７０を差し出した人物に対して、どの計数機を利用したかなどを質問することによって、不正の有無を確認することができる。
なお、景品交換カウンタ１９２のスタッフは、不正行為が無かったと判断した場合には、景品を利用者１７２ａに渡し、渡した景品のデータを景品管理機１１４へ入力する。景品管理機１１４は、入力されたデータに基づいて、景品の在庫のデータを更新する。景品管理機１１４が、ディスプレイ１１６に計数結果を表示する処理や、景品の在庫データを更新する処理は、計数結果に基づく景品管理処理の一例である。
【００２６】
以上のように実施例１に係る遊技場監視システム１００によれば、景品交換カウンタ１９２の来訪した人物が差し出すレシート１７０が景品管理機１１４に読み取られると、レシート１７０に記録されたレシートＩＤ（識別子）に基づいて監視データが検索されて、そのレシート１７０が計数機１１２ａから出力されたときにカメラ１１０ａが撮影した画像がディスプレイ１１６に表示される。景品交換カウンタ１９２に配置されたスタッフは、その画像を見て、景品交換に関して不正行為があった可能性が高いか否かを確認することができる。景品交換カウンタ１９２に配置されたスタッフは、計数機を常時監視する必要がなくなるので景品交換に関連する行為を監視する負荷が軽減される。
【００２７】
上記実施例１の遊技場監視システム１００の変形例を説明する。管理サーバ１１８は、計数機１１２ａからレシートＩＤが送信されたときに、計数機１１２ａがそのレシートＩＤで特定されるレシート１７０を出力した出力時刻を含む所定時間（例えば出力時刻の前後３０秒間）の動画像を、レシートＩＤに対応付けて監視データとして記録してもよい。管理サーバ１１８は、景品管理機１１４からレシートＩＤが送信されると、そのレシートＩＤに対応付けられた動画像のデータを景品管理機１１４へ送信する。景品管理機１１４に接続されたディスプレイ１１６には、管理サーバから送られた動画像が表示される。景品交換カウンタのスタッフは、その動画像を視認することによって、景品交換カウンタ１９２で差し出されたレシート１７０が、不正行為の介在のもとに計数機１１２ａから出力されたものであるか否かを判断しやすくなる。ここでいう不正行為とは例えば、特殊な電波を発信させて実際の計数結果よりも大きい計数結果を記録したレシートを計数機から出力させる行為などである。
なお、管理サーバ１１８は常に、カメラ１１０ａが撮影した画像のうち最新の所定時間（例えば５分間）の画像を一時的に記録しておき、計数機１１２ａからレシートＩＤが送信されたときに、その時刻を含む所定時間の画像を監視データとして記録すればよい。或いは、計数機１１２ａが、レシートＩＤとともに、そのレシートＩＤで特定されるレシートを出力したときの時刻を管理サーバ１１８へ送信するように構成してもよい。管理サーバ１１８は、送られた時刻にカメラ１１０ａが撮影した画像を一時的に記録した画像から抽出して監視データに記録してもよい。
図１に示す計数機１１２ｂとこれに対応して設置されているカメラ１１０ｂについても、上記説明した計数機１１２ａ及びカメラ１１０ａと同様の処理が行なわれる。
【００２８】
＜第２実施例＞  図３は、本発明の第２実施例に係る遊技場監視システム３００のブロック図である。本実施例に係る遊技場監視システム３００は、カメラ（カメラ３１０ａ、３１０ｂ、３２２ａ、３２２ｂ）と、管理サーバ３１８と、計数機（計数機３１２ａ、３１２ｂ）と、景品管理機（景品管理機３１４ａ、３１４ｂ）と、端末装置３２４と、ディスプレイ３２６を備える。カメラ（カメラ３１０ａ等）、管理サーバ３１８、計数機（計数機３１２ａ等）、景品管理機（景品管理機３１４ａ等）、及び端末３２４は、ネットワーク３９０に接続している。ディスプレイ３２６は、端末３２４に接続されている。
図３に示す装置のうち、図１に示す部品と同じ部品には同じ符号を付してある。図１に示す部品と同一の符号を付した部品については説明を省略する。
【００２９】
遊技場には複数の計数機（計数機３１２ａ、３１２ｂ）が備えられており、夫々の計数機に対応してカメラが配置されている。計数機３１２ａに対応して第１カメラ３１０ａが配置されており、計数機３１２ｂに対応して第１カメラ１１０ｂが配置されている。計数機はいくつでもよい。以下では、計数機３１２ａとこの計数機３１２ａに対応して配置された第１カメラ３１０ａを例にとって説明する。
【００３０】
本実施例における遊技場監視システム３００では、計数機毎に備えられた第１カメラの他に、景品管理機毎に第２カメラ３２２ａ、３２２ｂが設けられている。具体的には、景品交換カウンタ１９２ａには、景品管理機３１４ａと、この景品管理機３１４ａに対応する第２カメラ３２２ａが設置されている。同様に、景品交換カウンタ１９２ｂには、景品管理機３１４ｂと、この景品管理機３１４ｂに対応する第２カメラ３２２ｂが設置されている。以下では、景品交換カウンタ１９２ａに設置された景品管理機３１４ａと第２カメラ３２２ａを例にとって説明する。
【００３１】
第１カメラ３１０ａは、計数機３１２ａの利用者を撮影するように配置されている。計数機３１２ａの利用者とは、獲得した遊技媒体の計数を希望する遊技者である。換言すればカメラ３１０ａは、計数機３１２ａの近傍を撮影できる位置に配置されている。計数機３１２ａが遊技媒体を計数し、計数結果とレシートＩＤを記録したレシート１７０を出力する処理は、第１実施例の計数機１１２ａと同じである。
【００３２】
第２カメラ３２２ａは、景品管理機３１４ａが設置されている景品交換カウンタ１９２ａに来訪して景品交換のためにレシート１７０を差し出す人物を撮影するように配置されている。その意味で、第２カメラ３２２ａは、景品交換カウンタ１９２ａの受付を撮影できる位置に配置されていると表現することができる。また別言すれば、第２カメラ３２２ａは、景品交換カウンタ１９２ａの近傍を撮影する位置に配置されていると表現することもできる。
【００３３】
第１カメラ３１０ａが撮影した画像のデータと第２カメラ３２２ａが撮影した画像のデータは、ネットワーク３９０を介して常に管理サーバ３１８へ送られる。管理サーバ３１８では、受信した画像データを例えば１秒ごとに記憶装置３２０に記憶（記録）する。画像データは、記憶装置３２０内に、画像データベース３２０ａとして記憶される。
画像データベース３２０ａの一例を図４に示す。図４に示す「計数機Ａ」、「計数機Ｂ」は、各計数機を識別するための計数機ＩＤである。「管理機Ｘ」、「管理機Ｙ」は、各景品管理機を識別するための管理機ＩＤである。図４における「計数機Ａ」が図３の計数機３１２ａに相当し、「計数機Ｂ」が、図３の計数機３１２ｂに相当する。図４における「管理機Ｘ」が、図３の景品管理機３１４ａに相当し、「管理機Ｙ」が、図３の景品管理機３１４ｂに相当する。どの計数機にどの第１カメラが対応するか、或いはどの景品管理機にどの第２カメラが対応するかは既知であるので、管理サーバ３１８は、各カメラから送られた画像が、どの計数機（或いはどの景品管理機）に対応する画像であるか認識できる。換言すれば、管理サーバ３１８は、各画像をその画像の取得時刻とその画像に対応する計数機（或いは景品管理機）に対応付けて画像データベース３２０ａに格納する。
図４に示すように、画像データベース３２０ａには、各カメラが撮影した画像のデータが１秒間隔で格納されている。管理サーバ３１８は、画像データベース３２０ａを参照することによって、所定の時刻に、所定の計数機に対応する第１カメラ（或いは所定の景品管理機に対応する第２カメラ）が撮影した画像を抽出（検索）することができる。
【００３４】
計数機３１２ａは、遊技媒体を計数すると、レシート１７０を出力するとともに、計数結果とレシートＩＤ（識別子）とレシートを出力した時刻（出力時刻）と自己（計数機３１２ａ）を識別するための計数機ＩＤをネットワーク３９０を介して管理サーバ３１８へ送信する。計数機３１２ａは、計数結果１７０ａとレシートＩＤ１７０ｂを印刷（記録）したレシート１７０を出力する。「レシートＩＤ」は、前述した識別子に相当する。
管理サーバ３１８は、受信したデータを、レシートデータベース３２０ｂに格納し、記憶装置３２０に記憶する。
図５にレシートデータベース３２０ｂの一例を示す。レシートデータベース３２０ｂは、いくつか項目（データベースでいうところのフィールド）を有するレコードの集合として定義される。項目には、「レシートＩＤ」、「計数結果」、「計数機ＩＤ」、「レシート出力時刻」、「管理機ＩＤ」、及び「レシート読込時刻」がある。
管理サーバ３１８は、計数機からレシートＩＤと計数結果と出力時刻と計数機ＩＤが送られる毎に新たなレコードを生成し、送られたデータを夫々「レコードＩＤ」と「計数結果」と「出力時刻」と「計数機ＩＤ」の各項目に格納する。従って、計数機からデータが送られて、新たなレコードが生成された時点では、「管理機ＩＤ」と「レシート読込時刻」の項目は空白である。これらの項目については次に説明する。
【００３５】
景品交換カウンタ１９２ａには、景品管理機３１４ａが設置されている。景品管理機３１４ａには、レシート１７０（レシート１７０に記録されたデータ）を読み込むためのバーコードリーダ（不図示）が取り付けられている。景品交換カウンタ１９２ａのスタッフは、景品交換カウンタ１９２ａへ来訪した人物１７４ａが差し出したレシート１７０を受け取り、バーコードリーダに読み込ませる。景品管理機３１４ａは、読み取ったレシート１７０に記録されたレシートＩＤと自己（景品管理機３１４ａ）を特定する管理機ＩＤと読取時刻を管理サーバ３１８へ送信する。
管理サーバ３１８は、レシートデータベース３２０ｂを参照して、受信したレシートＩＤと同じレシートＩＤを格納しているレコードを検索する。そして、検索されたレコードの「管理機ＩＤ」と「読取時刻」の項目に、受信した管理機ＩＤと読取時刻を格納する。こうしてひとつのレコードが完成する。
【００３６】
ひとつのレコードがひとつの監視データに相当する。従って記憶装置３２０のレシートデータベース３２０ｂには、過去の監視データが蓄積されていく。
【００３７】
遊技場のスタッフは、景品交換に関する不正行為が行なわれていないかを監視するために、随時端末装置３２４を操作して、計数機が出力したレシートを受け取った人物と、そのレシートを景品交換カウンタで差し出した人物が同一人物であるか否かをチェックする。その際、管理サーバ３１８では、以下の処理が行なわれる。
端末装置３２４に接続されたディスプレイ３２６には、図５に示したレシートデータベース３２０ｂが表示されている。表示の形式は、図５に示す通りである。監視を行なうスタッフは、ディスプレイ３２６に表示されたレシートデータベース３２０ｂから、任意のレシートＩＤを指定する。管理サーバ３１８は、指定されたレシートＩＤを含むレコードから、計数機ＩＤとレシート出力時刻を抽出する。次に画像データベース３２０ａを参照して、計数機ＩＤとレシート出力時刻に対応する画像（第１画像）を抽出する。同様に、管理サーバ３１８は、指定されたレシートＩＤを含むレコードから、管理機ＩＤとレシート読取時刻を抽出する。次に画像データベース３２０ａを参照して、管理機ＩＤとレシート読取時刻に対応する画像（第２画像）を抽出する。管理サーバ３１８は、抽出した第１画像と第２画像を、端末３２４のディスプレイ３２６に同時に表示させる。第１画像は換言すれば、指定されたレシートＩＤを記録したレシートを計数機が出力したとき（出力時刻）にその計数機に対応する第１カメラが撮影した画像と表現することができる。同様に、第２画像は、指定されたレシートＩＤを記録したレシートを景品管理装置が読込んだとき（読込時刻）にその景品管理機に対応する第２カメラが撮影した画像と表現することができる。
【００３８】
ディスプレイ３２６に表示される２つの画像の意味を、図３を参照しつつ説明する。例えば、「Ａ００２」というレシートＩＤ（所定の識別子）が記録（印刷）されたレシート１７０が計数機３１２ａから出力されたときの計数機３１２ａの利用者が人物１７２ａであったとする。一方、景品交換カウンタ１９２ａに来訪して「Ａ００２」というレシートＩＤが記録されたレシート１７０を差し出した人物が人物１７４ａであったとする。
遊技場のスタッフが端末３２４のディスプレイ３２６に表示されたレシートデータベース３２０ｂからレシートＩＤ「Ａ００２」を指定すると、ディスプレイ３２６には第１画像１７２ｂと第２画像１７４ｂが同時に表示される。第１画像１７２ｂは、レシートＩＤ「Ａ００２」が記録されたレシート１７０が計数機３１２ａから出力された時刻（出力時刻）に第１カメラ３１０ａが撮影した画像である。第２画像１７４ｂは、レシートＩＤ「Ａ００２」が記録されたレシート１７０が景品管理機３１４ａに読み込まれた時刻（読込時刻）に第２カメラ３２２ａが撮影した画像である。即ち、ディスプレイ３２６には、レシートＩＤ「Ａ００２」が記録されたレシート１７０を受け取った利用者１７２ａが映った画像１７２ｂと、景品交換カウンタ１９２ａに来訪してレシートＩＤ「Ａ００２」が記録されたレシート１７０を差し出した人物１７４ａが映った画像１７４ｂが同時に表示される。
計数機を遊技者が操作する遊技場では通常、計数機が出力したレシートを受け取った人物と、そのレシートを景品交換カウンタで差し出す人物は同一であることが多い。従って、ディスプレイ３２６に表示された２つの画像に映っている人物が同一人物でない場合に、遊技場のスタッフは、景品交換に関係して何らかの不正が行なわれた可能性が高いと判断できる。不正とは例えば、人物１７２ａが、遊技媒体を計数させた際に、出力したレシートを取り忘れたときなどに、同一人物でない人物１７４ａが、レシート１７０を拝借して、レシート１７０を景品交換カウンタ１９２ａで差し出した場合などである。
【００３９】
以上のように、第２実施例に係る遊技場監視システム３００によれば、計数機が出力したレシート（所定のレシートＩＤが記録されたレシート）を受け取った利用者が映っている第１画像と、景品交換カウンタに来訪してそのレシートを差し出した人物が映っている第２画像を同時に表示することができる。遊技場のスタッフは、２つの画像に映っている人物が異なる人物である場合に、景品交換に際して何らかの不正が行われた可能性が高いと判断できる。
【００４０】
第２実施例に係る遊技場監視システム３００はさらに、記憶装置３２０のレシートデータベース３２０ｂ（即ち、過去の監視データの蓄積）から、所定の条件に合致するレコードを検索できるように構成することも好適である。検索条件は、端末装置３２４から入力され、検索は管理サーバ３１８が実行する。管理サーバ３１８は、端末装置３２４から入力された所定の条件に合致するレコードをレシートデータベース３２０ｂから検索する。管理サーバ３１８は、検索によって抽出したレコードを端末３２４のディスプレイ３２６に表示させる。端末３２４を操作するスタッフは、表示されたレコードの一覧から、不正が行なわれたか否かを検証したいレコードを指定する。管理サーバ３１８は、前述の説明と同様の処理によって、指定されたレコードに記録されたレシートＩＤに対応付けられた第１画像と第２画像を端末３２４のディスプレイ３２６に表示させる。
検索の条件は、例えば、レシートＩＤが所定の範囲であるという条件、計数結果が所定の範囲であるという条件、計数機ＩＤ及び／又は管理機ＩＤが所定のＩＤであるという条件、レシート出力時刻及び／又はレシート読込時刻が所定の範囲であるという条件、あるいはそれらの条件を複合させた条件等である。レコードのデータベースから所定の条件に合致するレコードを検索し、抽出する処理は、一般のリレーショナルデータベースに利用されている技術を適用すればよい。
一例として、「レシート読込時刻が１３：００から１３：５９の範囲であり、かつ、計数機ＩＤが計数機Ａであり、かつ、計数結果が10,000以上である」という条件を指定して管理サーバ３１８にレシートデータベース３２０ｂを検索させる場合を仮定する。管理サーバ３１８は検索結果をディスプレイ３２６に表示させる。表示される内容を図６に示す。スタッフは、ディスプレイ３２６に表示された図６のリストを見て、例えばレシートＩＤが「Ａ０１３」のレコードを指定する。管理サーバ３１８は、レシートＩＤが「Ａ０１３」のレコードからレシート出力時刻とレシート読込時刻を抽出し、それぞれの時刻の第１画像と第２画像を画像データベース３２０ａから抽出する。管理サーバ３１８は、抽出した画像をディスプレイ３２６に表示する。スタッフは、ディスプレイ３２６に表示された画像を精査することによって、レシートＩＤが「Ａ０１３」で特定されるレシートが計数機から出力されたとき、或いは景品交換カウンタで差し出されたときに不正行為が行われたか否かを確認することができる。この構成によって、例えば景品交換カウンタでスタッフが不正行為を過失によって或いは故意によって見落とした場合でも、事後的に不正行為の有無を確認することができる。
なお、第１画像と第２画像は、ディスプレイに同時に表示してもよいし、それぞれ別個に表示してもよい。前者によれば、２つの画像をディスプレイ上で対比することができる。後者によれば、夫々の画像をディスプレイの画面全体に大きく表示することができる。
【００４１】
なお、管理サーバ３１８がディスプレイ３２６に表示する第１画像と第２画像は、第１実施例と同様に動画像であってもよい。具体的には、レコードに記録されたレシート出力時刻を含む前後３０秒の画像データを画像データベース３２０ａから抽出して表示する。同様に、レコードに記録されたレシート読込時刻を含む前後３０秒の画像データを画像データベース３２０ａから抽出して表示する。そうすることで、スタッフは、レシートを受け取るときの人物の動作や、レシートを景品交換カウンタで差し出すときの人物の動作を確認することができる。
【００４２】
＜第３実施例＞  次に、本発明の第３実施例に係る遊技場監視システムについて説明する。この遊技場監視システムは、図３に示す第２実施例の遊技場監視システム３００と同じ構成であるので、図３を参照しつつ、本実施例に係る遊技場監視システムについて説明する。本実施例に係る遊技場監視システムは、画像データベース３２０ａ、レシートデータベース３２０ｂ（監視データ）を生成するまでは第２実施例の遊技場監視システム３００と同じであるので説明を省略する。
【００４３】
本実施例の遊技場監視システムは、管理サーバ３１８内に、画像処理部を備える。管理サーバ３１８は、レシートデータベース３２０ｂのレコードが完成すると直ちに（即ち、景品管理装置から管理装置ＩＤなどのデータが送られると直ちに）、次の処理を実行する。ひとつのレコードが完成する毎に、そのレコードに格納されている「計数機ＩＤ」と「出力時刻」で特定される第１画像を画像データベース３２０ａから抽出する。同時に、そのレコードに格納されている「管理機ＩＤ」と「読取時刻」で特定される第２画像を画像データベース３２０ａから抽出する。即ち、レコードに格納されているレシートＩＤに対応付けられた第１画像と第２画像を抽出する。画像処理部は、第１画像に映っている人物と第２画像に映っている人物が同一であるか否かを判断する。画像処理部が、第１画像に映っている人物と第２画像に映っている人物が同一人物でないと判断すると、管理サーバ３１８は、第２画像が撮影された景品交換カウンタの景品管理機に対してメッセージを送信する。メッセージの内容は、現在その景品交換カウンタに来訪してレシートを差し出した人物は、差し出したレシート（計数機から出力されたレシート）を受け取った人物でない旨をスタッフに通知するものである。景品管理機は表示あるいは音声などの出力装置を介してそのメッセージをスタッフに通知する。これにより、景品交換カウンタのスタッフは、遊技場監視システムからのメッセージによって、不正が行なわれた可能性が高いことを認知することができる。メッセージを受けたスタッフは、来訪者を詰問するなどして、実際に不正行為が行なわれたか否かを確認することができる。この遊技場監視システムによれば、景品交換に関する不正行為を監視する負荷を遊技場のスタッフから軽減することができる。
なお、第１画像に映っている人物と第２画像に映っている人物が同一人物であるか否かの画像処理は、公知の画像処理技術を利用すればよい。
【００４４】
上記説明した実施例では、監視データを生成する処理を実行するときの管理サーバが、請求項の「監視データ生成装置」に相当する。また、ディスプレイに画像を表示させる処理を実行するときの管理サーバが請求項の「制御装置」に相当する。カメラが撮影した画像を取得して記憶する際の管理サーバと記憶装置が請求項の「画像記録装置」に相当する。第３実施例で説明した画像処理を実行する際の管理サーバが請求項の「画像処理装置」に相当する。
監視データを生成する機能は、管理サーバとは別個の端末に備えられても良いし、計数機や景品管理装置に備えられても良い。その場合には監視データを生成する機能を実行する装置が、請求項「監視データ生成装置」に相当する。
また、「制御装置」が備えるべき機能の一部が景品管理機内に実装されていてもよい。
【００４５】
第３実施例では、第１画像に映っている人物と第２画像に映っている人物が同一人物でない場合に、管理サーバはその旨をスタッフに通知するメッセージを出力した。これは、計数機の操作を遊技者が行なう遊技場で有効である。なぜならば、そのような遊技場では、計数機を操作してレシートを受け取った遊技者が、そのまま景品交換カウンタでそのレシートを差し出すことが通常だからである。
一方、計数機は、遊技場のスタッフが操作する遊技場もある。その場合には、遊技者がスタッフに無断で計数機を操作する場合に、不正が行なわれる可能性が高い。そのような遊技場に第３実施例の遊技場監視システムを適用する場合には、画像処理装置は第１画像に映っている人物と第２画像に映っている人物が同一の場合に、その旨をスタッフへ通知するメッセージを出力するように構成することが好ましい。第１画像に映っている人物と第２画像に映っている人物が同一の場合とは、計数機を操作した人物が遊技場のスタッフでない場合だからである。
また、遊技場のスタッフが計数機を操作する遊技場では、画像処理装置にスタッフの画像データを記憶しておき、第１画像に映っている人物が、記憶した画像データに映っているスタッフのひとりと同一であるか否かを判断するように構成してもよい。その場合には、第１画像に映っている人物が、遊技場のスタッフでないと判断した場合に、その旨を通知するメッセージを出力する。
【００４６】
上記の第３実施例の遊技場監視システムはまた、次の構成を有することも好適である。即ち、管理サーバ３１８内の画像処理部は、レシートデータベース３２０ａと画像データベース３２０ａから、一のレコードが特定する第１画像又は第２画像に映っている人物と他のレコードが特定する第１画像又は第２画像に映っている人物が同一人物であるか否かを判断し、同一人物が映っている画像のレコードが検出された場合に、その旨を出力する。出力は、前述と同様に、その旨を伝えるメッセージを、景品管理機３１４ａあるいは端末３２４のディスプレイやスピーカを介して出力する。管理サーバ３１８は、画像に同一人物が映っているレコードをレシート読込時刻の順に並び替えて表示する。
上記の画像処理部によって、例えば同一人物が複数回に亘って景品交換カウンタで記録媒体を差し出したことが判明する。同一の人物が短時間の間に大きな計数結果を記録した記録媒体を複数回に亘って景品交換カウンタで差し出すことは不自然である。そのような不自然な行為には不正行為が介在している可能性が高い。景品交換カウンタにいるスタッフは、同一人物が記録媒体を複数回に亘って景品交換カウンタで差し出した事実を見落とす可能性がある。スタッフは、記録媒体を差し出した人物の顔を一々覚えてはいないからである。上記の監視システムによって、そのような事態を容易に検出することができる。
また上記の監視システムによって、計数機又は景品交換カウンタで記憶媒体のやり取りを頻繁に行なっている人物を特定することができる。そのような人物は不正を行なっている可能性が高い。本監視システムによって、そのような人物を容易に特定することができる。
さらに、不正行為はほとんどの場合、計数結果を実際よりも大きくする行為である。そこで、第２画像に同一人物が映っているレコードを計数結果の大きい順に並び替えて表示することも好適である。計数結果が大きい、即ち、重大な不正が行なわれた可能性のあるレコードから順に表示することができる。
なお、画像処理部を有する管理サーバ３１８が、請求項の「画像処理装置」又は「第２画像処理装置」に相当する。
【００４７】
上記の実施例では、計数機ごとに（或いは景品交換カウンタごとに）カメラを配置した。これに変えて、ひとつのカメラが複数の計数機（或いは複数の景品交換カウンタ、或いは計数機と景品交換カウンタ）を撮影してもよい。ひとつのカメラが複数の計数機等を撮影する場合には、そのカメラの画像から、夫々の計数機を利用する人物（あるいは景品交換カウンタでレシートを差し出す人物）が映っていると推定される画像を切り出して記録すればよい。
【００４８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４９】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【図面の簡単な説明】
【００５０】
【図１】第１実施例の遊技場監視システムのブロック図である。
【図２】監視データの一例を示す図である。
【図３】第２実施例の遊技場監視システムのブロック図である。
【図４】画像データベースの一例を示す図である。
【図５】レシートデータベースの一例を示す図である。
【図６】レシートデータベースの検索結果の一例を示す図である。
【符号の説明】
【００５１】
１００、３００：遊技場監視システム
１１０ａ、１１０ｂ：カメラ
１１２ａ、１１２ｂ、３１２ａ、３１２ｂ：計数機
１１４、３１４ａ、３１４ｂ：景品管理機
１１６、３２６：ディスプレイ
１１８、３１８：管理サーバ
１７０：レシート
１９０、３９０：ネットワーク
３１０ａ、３１０ｂ：第１カメラ
３２２ａ、３２２ｂ：第２カメラ
３２４：端末装置
【図１】
2008055042.tif 000003
【図２】
2008055042.tif 000004
【図３】
2008055042.tif 000005
【図４】
2008055042.tif 000006
【図５】
2008055042.tif 000007
【図６】
2008055042.tif 000008